(57)【特許請求の範囲】
【請求項１】
広告を表示するデジタルサイネージと、前記広告に関する印刷物を印刷する画像形成装置と接続された情報処理装置であって、
少なくとも、デジタルサイネージに表示される広告情報と、該広告情報に関し画像形成装置から印刷される付随広告情報とを対応付けて記憶した記憶手段と、
デジタルサイネージに対し前記広告情報を表示する表示制御手段と、
画像形成装置から印刷データの取得要求を受信すると、該取得要求を受信した時点で前記表示制御手段によりデジタルサイネージに表示されている広告情報と対応付けられている付随広告情報を送信する印刷データ送信手段と、を有し、
前記広告情報が動画データの場合、前記表示制御手段は、デジタルサイネージで前記動画データを再生すると共に、再生の開始時点からの時間経過をカウントし、
前記動画データに対応付けられる付随広告情報は、前記時間経過と共に変更されること、
を特徴とする情報処理装置。
【請求項２】
前記広告情報と、前記付随広告情報と、該広告情報の表示時間とを対応付けて前記記憶手段に複数登録する登録手段と、
を有し、
前記表示制御手段は、デジタルサイネージに対し広告情報を表示するとき、該広告情報の表示時間の間、該広告情報を表示し、該表示時間の経過後は、次の広告情報を表示すること、
を特徴とする請求項１記載の情報処理装置。
【請求項３】
広告を表示するデジタルサイネージと、前記広告に関する印刷物を印刷する画像形成装置と接続された情報処理装置のプログラムであって、
少なくとも、デジタルサイネージに表示される広告情報と、該広告情報に関し画像形成装置から印刷される付随広告情報とを対応付けて記憶した記憶手段と、
デジタルサイネージに対し前記広告情報を表示する表示制御手段と、
画像形成装置から印刷データの取得要求を受信すると、
該取得要求を受信した時点で前記表示制御手段によりデジタルサイネージに表示されている広告情報と対応付けられている付随広告情報を送信する印刷データ送信手段として機能させ、
前記広告情報が動画データの場合、前記表示制御手段は、デジタルサイネージで前記動画データを再生すると共に、再生の開始時点からの時間経過をカウントし、
前記動画データに対応付けられる付随広告情報は、前記時間経過と共に変更されること、
を特徴とするプログラム。
【請求項４】
前記広告情報と、前記付随広告情報と、該広告情報の表示時間とを対応付けて前記記憶手段に複数登録する登録手段として機能させ、
前記表示制御手段は、デジタルサイネージに対し広告情報を表示するとき、該広告情報の表示時間の間、該広告情報を表示し、該表示時間の経過後は、次の広告情報を表示すること、
を特徴とする請求項３記載のプログラム。
【発明の詳細な説明】
【技術分野】
【０００１】
本発明は、情報処理装置及びプログラムの分野に関する。
【背景技術】
【０００２】
従来、コピー、スキャナ、プリンタ、ファックスなどの複数の機能を一つの筐体内に収納した画像形成装置が知られている。このような画像形成装置の利用形態の１つに、広告配信サーバ等から画像形成装置に対し広告情報を配信し、配信された広告情報の中からユーザが必要な情報を選定して印刷できるものがある（例えば特許文献１参照）。
【０００３】
また一方、近年、デジタルサイネージ・システムが広く普及している。デジタルサイネージは、多数の人目に付く場所（店舗、駅、街角、等）に設置したディスプレイに、サーバ等からタイムリーに映像や各種情報を配信する電子看板システムであり、広告情報を配信することによって広告媒体としても活用されている。テレビコマーシャルのように不特定多数に広告を流すのではなく、設置場所の地域性を考慮したターゲットの設定を行いそのターゲットに焦点をあてた広告情報を発信できるため、その設置地域に即したリアルタイムなキャンペーンなどの情報配信を行えることが特徴となっている（例えば特許文献２参照）。
【０００４】
例えば、ショッピングモールにおいてデジタルサイネージが設置されている場合、ディスプレイには、イベントやセールなどの広告映像（動画、静止画含む）が流される。ユーザ（例えば来店者）は、デジタルサイネージのディスプレイに流されたこの広告映像を視聴することにより、ショッピングモールで開催されるイベントやセールなどの存在を認知することができる。
【発明の概要】
【発明が解決しようとする課題】
【０００５】
ここで、デジタルサイネージのディスプレイに流れた広告映像に興味を覚えたユーザが、今流れた広告情報をさらに詳しく知りたいと要望する場合がある。この際の１つの方法として、例えば画像形成装置（印刷端末）とデジタルサイネージとを接続することにより、ディスプレイに流れた広告映像を印刷することが考えられる。
【０００６】
しかしながら、ユーザが紙媒体として所望するものは、単にディスプレイに流れた広告映像そのものの印刷物というよりは、むしろ広告映像に関する詳細情報である。具体的に例えばイベントに関する広告映像（イメージ映像）が流れている場合、ユーザが所望するものは、イベントの開催日、開催場所、イベント内容詳細等々がまとめられたチラシやパンフレットのようなものであり、また例えばセールに関する広告映像が流れている場合、ユーザが所望するものは、セールの開催日、開催店舗、イベント内容詳細、クーポン券等々がまとめられたチラシやパンフレットのようなものである。
【０００７】
そのため従来、ユーザがこのようなチラシやパンフレットを取得する場合、デジタルサイネージとは別途に、上述のような画像形成装置を操作し、広告配信サーバ等から目的のイベントやセール情報を検索のうえ、イベントやセールに関するチラシやパンフレットを印刷するしかなく、ユーザの利便性が低いという問題があった。よってこの場合、デジタルサイネージのディスプレイに流れた広告映像を見ながら、手軽にその広告映像に関する詳細情報を取得しうる仕組みが求められる。
【０００８】
本発明では上記のような問題に鑑みて、デジタルサイネージの広告映像が流れたタイミングでの簡易操作により同広告映像に関する情報を印刷する情報処理装置及びプログラムを提供することを目的とする。
【課題を解決するための手段】
【０００９】
上記課題を解決するため、本発明に係る情報処理装置は、広告を表示するデジタルサイネージと、前記広告に関する印刷物を印刷する画像形成装置と接続された情報処理装置であって、少なくとも、デジタルサイネージに表示される広告情報と、該広告情報に関し画像形成装置から印刷される付随広告情報とを対応付けて記憶した記憶手段と、デジタルサイネージに対し前記広告情報を表示する表示制御手段と、画像形成装置から印刷データの取得要求を受信すると、該画像形成装置に対し印刷データを送信する印刷データ送信手段と、を有し、前記印刷データ送信手段は、前記取得要求を受信すると、該取得要求を受信した時点で前記表示制御手段によりデジタルサイネージに表示されている広告情報と対応付けられている付随広告情報を送信する。
【００１０】
また上記課題を解決するため、本発明に係るプログラムは、広告を表示するデジタルサイネージと、前記広告に関する印刷物を印刷する画像形成装置と接続された情報処理装置に、少なくとも、デジタルサイネージに表示される広告情報と、該広告情報に関し画像形成装置から印刷される付随広告情報とを対応付けて記憶した記憶手段と、デジタルサイネージに対し前記広告情報を表示する表示制御手段と、画像形成装置から印刷データの取得要求を受信すると、該画像形成装置に対し印刷データを送信する印刷データ送信手段として機能させ、前記印刷データ送信手段は、前記取得要求を受信すると、該取得要求を受信した時点で前記表示制御手段によりデジタルサイネージに表示されている広告情報と対応付けられている付随広告情報を送信する。
【００１１】
なお、本発明の構成要素、表現または構成要素の任意の組合せを、方法、装置、システム、コンピュータプログラム、記録媒体、などに適用したものも本発明の態様として有効である。
【発明の効果】
【００１２】
本発明によれば、デジタルサイネージの広告映像が流れたタイミングでの簡易操作により同広告映像に関する情報を印刷する情報処理装置及びプログラムを提供することができる。
【図面の簡単な説明】
【００１３】
【図１】本実施形態に係るデジタルサイネージ広告印刷システムの構成図である。
【図２】本実施形態に係るデジタルサイネージ広告印刷システムの構成図である。
【図３】本実施形態に係る情報処理装置１の主要構成を示すハードウェア構成図である。
【図４】本実施形態に係る画像形成装置２のハードウェア構成の一例を示す。
【図５】本実施形態に係る情報処理装置１の一実施形態の主要機能を示す機能ブロック図である。
【図６】本実施形態に係る登録操作画面例（その１）を示す。
【図７】本実施形態に係る登録操作画面例（その２）を示す。
【図８】本実施形態に係る広告テーブルの一例（その１）を示す。
【図９】本実施形態に係る広告テーブルの一例（その２）を示す。
【図１０】本実施形態に係る広告テーブルの一例（その３）を示す。
【図１１】本実施形態に係る広告テーブルの一例（その４）を示す。
【図１２】本実施形態に係る広告テーブルの一例（その４−２）を示す。
【図１３】本実施形態に係るデジタルサイネージ３の画面表示例を示す。
【図１４】本実施形態に係る印刷操作画面例を示す。
【図１５】本実施形態に係る印刷例を示す。
【図１６】本実施形態に係る広告情報等の登録動作を説明するシーケンス図である。
【図１７】本実施形態に係る広告情報の表示及び付随広告情報の印刷動作を説明するシーケンス図である。
【図１８】本実施形態に係る動画データの再生時間と付随広告情報との対応を説明するタイムチャートである。
【発明を実施するための形態】
【００１４】
以下、本発明を実施するための形態を各実施形態において図面を用いて説明する。
【００１５】
[システム構成]
（全体構成）
はじめに、具体的な発明の内容を説明する前に、本発明を実施するにあたっての全体構成について説明する。図１、２は、本実施形態に係るデジタルサイネージ広告印刷システムの構成図である。図に示されるように、本実施形態に係るデジタルサイネージ広告印刷システムは、情報処理装置１、画像形成装置２、デジタルサイネージ（ディスプレイ）３が、ネットワーク、画面用接続ケーブルを介して接続される。
【００１６】
情報処理装置１は、デジタルサイネージ３を制御する装置であり、デジタルサイネージ３に表示させる広告情報を保持する。デジタルサイネージ３とは、画面を表示させるための接続形式（例えばVGA、HDMI、DVI等）の接続形式に対応し、画面用接続ケーブルを介し、デジタルサイネージ３に対し画面情報（例えば広告情報）を表示する。また情報処理装置１は、画像形成装置２と、ＬＡＮ等のネットワークを介し接続され、画像形成装置２に対し印刷命令等を行うことができる。なお本実施形態に係る情報処理装置１は、設置の関係上、図のように画像形成装置２の背部等に一体となり設置されている。なお、情報処理装置１は、画面用接続ケーブル経由に代え、ＬＡＮ等のネットワーク経由で既存のデジタルサイネージ３に広告情報を配信（転送）することも可能となる。
【００１７】
画像形成装置２は、ＭＦＰ（Multi-Function Peripheral）とも呼ばれ、コピー、スキャナ、プリンタ、ファックスなどの複数の機能を一つの筐体内に収納した上述の画像形成装置である。本実施形態に係る画像形成装置２は、デジタルサイネージのディスプレイ上に広告映像が流れている際において、ユーザの操作パネル上からの操作により、その広告映像に関する詳細情報（例えばチラシやパンフレット）を印刷する印刷端末である。そしてこの印刷媒体は、広告映像に関する詳細情報とは、例えば広告映像に関する例えばチラシやパンフレットである。
【００１８】
デジタルサイネージ３は、多数の人目に付く場所（店舗、駅、街角、等）に設置したディスプレイに映像や各種情報を配信する電子看板システムである。広告情報を表示することによって広告媒体として使用される。本実施形態に係るデジタルサイネージ３は、一例として、情報処理装置１から上述の画面用接続ケーブルを介し配信した広告情報を表示する。
【００１９】
（ハードウェア）
本実施形態に係る情報処理装置１のハードウェア構成について説明する。図３は、本実施形態に係る情報処理装置１の主要構成を示すハードウェア構成図である。情報処理装置１は、主要な構成として、ＣＰＵ（Central Processing Unit）１１、ＲＯＭ（Read Only Memory）１２、ＲＡＭ（Random Access Memory）１３、補助記憶装置１４、記憶媒体読取装置１５、入力装置１６を含む構成である。
【００２０】
ＣＰＵ１１は、マイクロプロセッサ及びその周辺回路から構成され、装置全体を制御する回路である。また、ＲＯＭ１２は、ＣＰＵ１１で実行される所定の制御プログラム（ソフトウェア部品）を格納するメモリであり、ＲＡＭ１３は、ＣＰＵ１１が各種プログラムを実行して各種の制御を行うときの作業エリア（ワーク領域）として使用するメモリである。
【００２１】
補助記憶装置１４は、汎用のＯＳ（Operating System）、プログラム、ＤＢを含む各種情報を格納する装置であり、不揮発性の記憶装置であるＨＤＤ（Hard Disk Drive）などが用いられる。記憶媒体読取装置１５には、ＵＳＢメモリ、ＣＤ、ＤＶＤ等の携帯型メディアをセットすることで、外部からの情報を取得できる。
【００２２】
通信装置１６は、ネットワークを介して他の機器との通信を行う装置である。有線ネットワークや無線ネットワークなど含む各種ネットワーク形態に応じた通信をサポートする。
【００２３】
なお、情報処理装置１は、独自の表示装置は備えず、上述の如く表示装置としてデジタルサイネージ３に対し接続される。またユーザが情報処理装置１に対し、セットアップ等々の各種入力操作を行うため、入力装置を備えるようにしてもよい（非図示）。
【００２４】
続いて、本実施形態に係る画像形成装置２のハードウェア構成について説明しておく。図４は、本実施形態に係る画像形成装置２のハードウェア構成の一例を示す。本実施形態に係る画像形成装置２は、操作パネル２１と、記憶メディアＩ／Ｆ２２と、コントローラ２３と、データ通信Ｉ／Ｆ２４と、スキャナ２５と、プロッタ２６と、ＨＤＤ（Hard Disk Drive）２７とから構成され、それぞれ相互に接続されている。
【００２５】
操作パネル２１は、入力装置２１aと表示装置２１bとを有しており、入力装置２１aは、ハードキーや、タッチパネル式ディスプレイ上のソフトキーなどで構成され、装置本体に各操作信号を入力するのに用いられる。また、表示装置２１bは、入力装置２１aとともにタッチパネル式ディスプレイなどで構成され、例えば画像形成動作に関する各種情報を表示する。データ通信Ｉ／Ｆ２４は、インタフェース装置２４aを有しており、画像形成装置をネットワークやファックスなどのデータ伝送路に接続するインタフェースである。ＨＤＤ２７は、画像形成装置で取り扱われる受信文書データや読み取り画像データ、各アプリケーションにより利用されるデータなど、各種データを格納している。また、ＨＤＤ２７は、これらの各種データを、所定のファイルシステムやＤＢ（Data Base）により管理している。
【００２６】
ＨＤＤ２７に格納される各種データの中には、記録媒体２２bから入力されるデータを含む。記録媒体２２bは、記憶メディアＩ／Ｆ２２が有するドライブ装置２２aにセットされ各種データが記録媒体２２bからドライブ装置２２aを介してＨＤＤ２７に格納される。
【００２７】
コントローラ２３は、ＲＯＭ２３a、ＲＡＭ２３b、及びＣＰＵ２３cとを有しており、ＲＯＭ２３aは、画像形成装置が起動されるときに実行されるプログラムや各種データを格納している。また、ＲＡＭ２３bは、ＲＯＭ２３aやＨＤＤ２７から読み出された各種プログラムやデータを一時保持する。更に、ＣＰＵ２３cは、ＲＡＭ２３bが一時保持しているプログラムを実行する。コントローラ２３は、例えば、データ通信Ｉ／Ｆ２４を介して印刷データを受信した場合に、ＲＯＭ２３aからＲＡＭ２３b上に読み出された、ＰＤＬ（Page Description Language）を解釈可能なプログラム（ＰＤＬパーサ）をＣＰＵ２３cにより実行し、印刷データを解釈してビットマップイメージを生成する。
【００２８】
スキャナ２５は、画像読取装置２５aを有しており、読み取り面に配置された原稿を光学的に読み取り画像データを生成する。プロッタ２６は、印刷装置２６aを有しており、例えば、電子写真プロセス方式によってビットマップイメージを記録紙に印刷する。
【００２９】
このように、本実施形態に係る画像形成装置２は、上記ハードウェア構成により、コピー、スキャナ、プリント、ファクシミリなどの少なくとも画像形成に係る基本的な機能を実現している。
【００３０】
（機能）
次に、本実施形態に係る情報処理装置１の主要機能構成について説明する。図５は、本実施形態に係る情報処理装置１の一実施形態の主要機能を示す機能ブロック図である。図に示されるように情報処理装置１は、主要な機能として、登録部１０１、記憶部１０２、表示制御部１０３、印刷データ送信部１０４を含み構成される。
【００３１】
登録部１０１は、記憶部１０２に対し、広告情報、付随広告情報、広告情報の表示時間などの情報を対応付けて登録する。記憶部１０２は、登録部１０１からの登録を受付けて、広告情報、付随広告情報（例えばチラシやパンフレット）、広告情報の表示時間などの情報を対応付けて記憶（登録）する。本実施形態では、画像形成装置２からこれら情報を登録情報として受信し、登録部１０１が記憶部１０２に対し記憶するようにする。詳細は具体例を挙げて後述する。
【００３２】
表示制御部１０３は、デジタルサイネージ３に対し広告情報を表示する。具体的に表示制御部１０３は、画面を表示させるための画面用接続ケーブルを介してデジタルサイネージ３を制御し、広告情報を表示させる。また表示させる広告情報は、記憶部１０２に複数記憶（登録）されており、広告情報の表示時間に従って順次切り替え表示する。デジタルサイネージ３に表示されたこれら広告情報はユーザにより視聴される。
【００３３】
印刷データ送信部１０４は、画像形成装置２から印刷データ取得要求を受信すると、その画像形成装置２に対し印刷データを送信する。ここでいう印刷データは具体的に記憶部１０２に複数記憶（登録）されている付随広告情報であるが、印刷データ送信部１０４は、印刷データ取得要求を受信すると、取得要求を受信した時点でデジタルサイネージ３に表示されている広告情報と対応付けられている付随広告情報を送信する。つまりこれにより、ユーザがデジタルサイネージ３に表示されている広告情報を視聴し、その視聴中（広告表示中）、画像形成装置２を操作し例えば「印刷」ボタンを押下すると、表示中の広告の詳細な広告情報である付随広告情報が画像形成装置２から印刷されるので、ユーザは表示中の広告に関する印刷物（例えばチラシやパンフレット）を取得できる。この点詳細は再度後述する。
【００３４】
なお、以上説明したこれらの機能は、実際には情報処理装置１のＣＰＵ１１が実行するプログラムにより実現される。
【００３５】
[広告情報の登録例]
本実施形態において、ユーザ（このユーザは広告登録者であって例えばショッピングモール側の担当者）は、画像形成装置２の操作パネル２１を操作し、まずデジタルサイネージ３に表示させる広告情報の登録作業を行う。そしてこの登録作業によって登録された広告情報が後にデジタルサイネージ３に表示される。以下ユーザが行う画像形成装置２の操作パネル２１の操作例について、具体的な操作画面例を挙げながら以下説明する。
【００３６】
図６は、本実施形態に係る登録操作画面例（その１）を示す。デジタルサイネージ３に表示させる広告情報の登録作業を行うに際し、まずユーザは画像形成装置２の操作パネル２１を操作して、図中、画面Ａの「サイネージ登録ボタン」Ａ１を押下する。
【００３７】
画面Ｂに遷移する。遷移先の画面Ｂにおいては、図に示されるように「スキャンまたはメディアからサイネージに表示する画像又は動画を登録してください」と表示される。ユーザは「スキャンして登録」Ｂ１、「メディアから登録」Ｂ２という２通りの方法いずれかによって広告（広告情報）を登録する。
（１）スキャンして登録
画像形成装置２のスキャナ２５に広告情報の原稿（１枚以上）をセットし、同原稿をスキャンする。スキャンされた原稿画像は、広告情報として画像形成装置２に取り込まれる。なおこの原稿画像は静止画データである。また原稿画像が複数の場合、静止画データも同複数枚数である。なおまた保存形式は、gif、tiff、jpeg、pngなど任意の形式で保存できる。
（２）メディアから登録
画像形成装置２のドライブ装置２２aに、ＵＳＢメモリ等の記録媒体２２bをセットする。同記録媒体２２b内に保持されているデータは、広告情報として画像形成装置２に取り込まれる。なお記録媒体２２b内に保持されているデータは、動画データ、静止画データを含む。
【００３８】
ここでは例えば、原稿２枚をスキャンして、広告情報を登録する。
【００３９】
広告情報を取り込むと、画面Ｃに遷移する。遷移先の画面Ｃにおいては、取り込まれた広告情報のサムネイル画像Ｃ０が表示される。また画面Ｃでは、同広告情報に対して対応付ける属性情報を登録する。
【００４０】
「表示時間」Ｃ１は、同広告情報がデジタルサイネージ３に表示される時間が登録される。例えば２０秒と登録されれば、同広告情報はデジタルサイネージ３に２０秒間表示される。また原稿が複数スキャンされ広告情報が複数ページある場合、１ページに付き２０秒間表示される。即ち２０秒毎に順次広告が切り替わる。なお動画データの場合、デジタルサイネージ３では動画データとして再生されるので、「表示時間」Ｃ１の登録は不要である（自動的に同動画データの再生時間が登録される）。
【００４１】
「名称」Ｃ２は、同広告情報の名称が登録される。例えば「四半期セール広告」など、ユーザにより任意の名称を入力し登録されればよい。
【００４２】
「付随広告情報」Ｃ３は、広告情報に対応する付随広告情報が登録される。広告情報が例えば「四半期セール広告」の広告である場合、付随広告情報は、セールの開催日、開催店舗、イベント内容詳細、クーポン券等々がまとめられたチラシやパンフレットである。付随広告情報は、１のみに限られず、複数登録も可能である。ユーザは付随広告情報を登録する場合、「追加」ボタンを押下する。
【００４３】
「グループ」Ｃ４は、登録される広告情報が属するグループが登録される。ここではグループＡとしておく。
【００４４】
図７は、本実施形態に係る登録操作画面例（その２）を示す。遷移先の画面Ｄにおいては、図に示されるように「スキャンまたはメディアから印刷する付随広告情報を登録してください」と表示される。上述の広告情報を登録する際の要領で、ユーザは「スキャンして登録」Ｄ１、「メディアから登録」Ｄ２という２通りの方法いずれかによって付随広告情報を登録する。ここでは例えば、メディアから「セールチラシ１.pdf」、「クーポン１.jpg」を登録する。
【００４５】
登録後、再び画面Ｃ０へ遷移し、ユーザは「ＯＫ」ボタンを押下することにより、これら広告情報等の登録が完了する。
【００４６】
なお本実施形態では、画像形成装置２の操作パネル２１を通じて広告情報の登録を行うものの、登録されたこれら広告情報等は、情報処理装置１側で記憶される。つまり、画像形成装置２は情報処理装置１に対し受付けた広告情報等を送信し、情報処理装置１の登録部１０１が記憶部１０２に対し受信した広告情報等を記憶する。
【００４７】
図８は、本実施形態に係る広告テーブルの一例（その１）を示す。図に示されるように広告テーブルには、画像形成装置２の操作パネル２１を通じたこれまでの登録操作により、広告情報、付随広告情報等が、情報処理装置１の記憶部１０２に記憶（登録）される。
【００４８】
「グループＩＤ」は、広告情報が属するグループである。同一グループの場合、デジタルサイネージ３に対し１サイクル内で順次表示される。
【００４９】
「広告ＩＤ」は、１度に登録された広告情報に付き、１つ付番される管理上の固有識別子である。
【００５０】
「名称」は、上述の「名称」Ｃ２である。同広告情報に与えられた任意の名称が登録される。
【００５１】
「広告情報」は、上述の画面Ｂにおいて登録された広告情報（ファイル）である。上述の例では、原稿２枚がスキャンされたので、「１０１−１．ｇｉｆ」、「１０１−２．ｇｉｆ」の静止画データ２枚が登録されている。
【００５２】
「変換後広告情報」は、「広告情報」を１の動画データに変換後の広告情報（ファイル）である。デジタルサイネージ３に表示するためには、動画形式のファイルでなければ、表示（描画配信）できない場合も少なくない。つまりデジタルサイネージ３が動画のみ対応する場合、静止画データのままであると、デジタルサイネージ３に表示できないので、１以上の静止画データを含む「広告情報」を１の動画データに変換しておく。図中、「Ａ．ｍｐ４」は、「１０１−１．ｇｉｆ」、「１０１−２．ｇｉｆ」の静止画データから生成され、表示時間２０秒毎に同静止画が切り替わるものである。つまり「Ａ．ｍｐ４」を再生すると、まず「１０１−１．ｇｉｆ」が２０秒間再生され、その後「１０１−２．ｇｉｆ」が２０秒間再生されて終了する。
【００５３】
「表示時間」は、上述の「表示時間」Ｃ１である。広告情報がデジタルサイネージ３に表示される時間が登録される。
【００５４】
「付随広告情報」は、「付随広告情報」Ｃ３である。つまり広告情報に対応する付随広告情報が登録される。ここでは、「セールチラシ１.pdf」、「クーポン１.jpg」が登録されている。なお、「広告情報」が静止画データの場合、図に示されるように１枚１枚に対し、付属情報が登録される。デジタルサイネージ３において、静止画データが動画データ（変換後広告情報）へ変換される場合、現在表示されている画面中の表示場面は、表示時間間隔に基づき、どの「広告情報」が、さらにどの「付随広告情報」が対応するかを管理するためである。
【００５５】
続いて、図８の広告テーブルの登録状態に対し、さらなる広告情報が追加的に登録された場合の広告テーブルの登録状態例を以下示す。
【００５６】
図９は、本実施形態に係る広告テーブルの一例（その２）を示す。さらに、追加的な登録操作により、新たに広告情報がスキャンされ、「グループＩＤ」：Ａ、「広告ＩＤ」：１０２、「名称」：定休日のお知らせ、「広告情報」：１０２．ｇｉｆ（スキャン原稿）、「表示時間」：５、「付随広告情報」：年始定休日．ｐｄｆが登録されたものである。
【００５７】
また「グループＩＤ」：Ａであるので、先の「広告ＩＤ」：１０１と同グループに属する。同一グループの場合、デジタルサイネージ３に対し１サイクル内で順次表示されるので、「変換後広告情報」は、上述の「Ａ．ｍｐ４」と統合されたものになっている。つまり図中の「Ａ．ｍｐ４」は、上述の「１０１−１．ｇｉｆ」、「１０１−２．ｇｉｆ」、及び今回登録された「１０２．ｇｉｆ」の静止画データから生成されたものである。つまり「Ａ．ｍｐ４」を再生すると、まず「１０１−１．ｇｉｆ」が２０秒間再生され、その後「１０１−２．ｇｉｆ」が２０秒間再生され、その後「１０２．ｇｉｆ」が５秒間再生されて終了する。このように新たに同一グループに属する広告情報が登録されると、都度、新たに同グループ内の「広告情報」を動画変換した「変換後広告情報」を生成する。
【００５８】
図１０は、本実施形態に係る広告テーブルの一例（その３）を示す。さらに、追加的な２回の登録操作により、新たに広告情報がスキャンされ、「グループＩＤ」：Ａ、「広告ＩＤ」：１０３、「名称」：クリスマスイベント、「広告情報」：１０３．ｇｉｆ（スキャン原稿）、「表示時間」：１０、「付随広告情報」：第１弾クリスマスイベント．ｐｄｆが登録され、また「グループＩＤ」：Ａ、「広告ＩＤ」：１０４、「名称」：クリスマスイベント、「広告情報」：１０４．ｇｉｆ（スキャン原稿）、「表示時間」：１０、「付随広告情報」：第１弾クーポン．ｐｄｆが登録されたものである。
【００５９】
また「グループＩＤ」：Ａであるので、「変換後広告情報」は、上述の「Ａ．ｍｐ４」と統合されたものになっている。つまり図中の「Ａ．ｍｐ４」は、上述の「１０１−１．ｇｉｆ」、「１０１−２．ｇｉｆ」、「１０２．ｇｉｆ」、及び今回登録された「１０３．ｇｉｆ」、「１０４．ｇｉｆ」の静止画データから生成されたものである。つまり「Ａ．ｍｐ４」を再生すると、まず「１０１−１．ｇｉｆ」が２０秒間再生され、その後「１０１−２．ｇｉｆ」が２０秒間再生され、その後「１０２．ｇｉｆ」が５秒間再生され、その後「１０３．ｇｉｆ」が１０秒間再生され、その後「１０４．ｇｉｆ」が１０秒間再生されて終了する。
【００６０】
図１１は、本実施形態に係る広告テーブルの一例（その４）を示す。さらに、追加的な登録操作により、新たに広告情報（今回は動画データ）がメディアから登録され、「グループＩＤ」：Ａ、「広告ＩＤ」：１０５、「名称」：クリスマスイベント第２弾、「広告情報」：１０５．ｍｐ４（動画データ）、「表示時間」：３０（動画データの再生時間による）、「付随広告情報」：第２クリスマスイベント．ｐｄｆ、第１弾クーポン．ｐｄｆが登録されたものである。
【００６１】
また「グループＩＤ」：Ａであるので、「変換後広告情報」は、上述の「Ａ．ｍｐ４」と統合されたものになっている。つまり図中の「Ａ．ｍｐ４」は、上述の「１０１−１．ｇｉｆ」、「１０１−２．ｇｉｆ」、「１０２．ｇｉｆ」、「１０３．ｇｉｆ」、「１０４．ｇｉｆ」の静止画データ、及び今回登録された「１０５．ｍｐ４」から生成されたものである。つまり「Ａ．ｍｐ４」を再生すると、まず「１０１−１．ｇｉｆ」が２０秒間再生され、その後「１０１−２．ｇｉｆ」が２０秒間再生され、その後「１０２．ｇｉｆ」が５秒間再生され、その後「１０３．ｇｉｆ」が１０秒間再生され、その後「１０４．ｇｉｆ」が１０秒間再生され、その後「１０５．ｍｐ４」が３０秒間再生されて終了する。
【００６２】
図１２は、本実施形態に係る広告テーブルの一例（その４−２）を示す。図１２は、図１０に対し、図１１と同様の「広告情報」：１０５．ｍｐ４（動画データ）が新たにメディアから登録されたものであるが、「グループＩＤ」：Ｂとなっている点で異なる。この場合、「グループＩＤ」：Ｂであるので、「変換後広告情報」は、上述の「Ａ．ｍｐ４」と統合されたものとはならない。グループが異なる場合、デジタルサイネージ３に対し別サイクル内で表示されるからである。つまり「変換後広告情報」は、図に示されるように「Ｂ．ｍｐ４」が別途生成される。以上広告テーブルについて説明した。
【００６３】
[広告情報の画面表示例]
図１３は、本実施形態に係るデジタルサイネージ３の画面表示例を示す。上述したように情報処理装置１の表示制御部１０３は、画面を表示させるための画面用接続ケーブルを介してデジタルサイネージ３を制御し、広告情報を表示させる。ここでは、広告情報が図１１の広告テーブルに登録されているものとし、ユーザ等の指示操作により、例えばグループＡに属する広告情報の表示（再生）を行う。
【００６４】
表示制御部１０３は、広告テーブル（図１１）を参照し、「変換後広告情報」：Ａ．ｍｐ４をデジタルサイネージ３に送信し、同動画データを再生させる。上述のように「Ａ．ｍｐ４」は、上述の「１０１−１．ｇｉｆ」、「１０１−２．ｇｉｆ」、「１０２．ｇｉｆ」、及び今回登録された「１０３．ｇｉｆ」、「１０４．ｇｉｆ」の静止画データから生成されたものである。つまり「Ａ．ｍｐ４」を再生すると、図に示されるように、「１０１−１．ｇｉｆ」が２０秒間再生され、その後「１０１−２．ｇｉｆ」が２０秒間再生され、その後「１０２．ｇｉｆ」が５秒間再生され、その後「１０３．ｇｉｆ」が１０秒間再生され、その後「１０４．ｇｉｆ」が１０秒間再生され、その後「１０５．ｍｐ４」が３０秒間再生されて終了する。合計の再生時間は、１サイクル９５秒となる（終了後はループ再生してもよい）。
【００６５】
なお、デジタルサイネージ３が静止画表示に対応する場合には、情報処理装置１の表示制御部１０３は、Ａグループの動画データ「Ａ．ｍｐ４」に代え、Ａグループ内の静止画データ「１０１−１．ｇｉｆ」、「１０１−２．ｇｉｆ」、「１０２．ｇｉｆ」、「１０３．ｇｉｆ」、「１０４．ｇｉｆ」、及び動画データ「１０５．ｍｐ４」を「表示時間」に従って、デジタルサイネージ３に順次表示させるようにしてもよい。
【００６６】
なおまた、情報処理装置１の表示制御部１０３は、再生ファイル名及び再生順序、再生時間を定義したＸＭＬファイル等ともに、Ａグループ内の静止画データ「１０１−１．ｇｉｆ」、「１０１−２．ｇｉｆ」、「１０２．ｇｉｆ」、「１０３．ｇｉｆ」、「１０４．ｇｉｆ」、及び動画データ「１０５．ｍｐ４」を一括してデジタルサイネージ３に送信することもできる。
【００６７】
[付随広告情報の印刷例]
本実施形態に係る画像形成装置２は、デジタルサイネージ３のディスプレイ上に広告映像が流れている際において、ユーザの操作パネル２１上からの操作により、その広告映像に関する詳細情報を印刷する。具体的に、ユーザ（例えば来店者）がデジタルサイネージのディスプレイに流れた広告映像に興味を覚えた場合、デジタルサイネージ３の同付近に設置された画像形成装置２の操作パネル２１を操作することにより、その広告映像に関する詳細情報（例えばチラシやパンフレット）を印刷し取得するものである。
【００６８】
図１４は、本実施形態に係る印刷操作画面例を示す。デジタルサイネージ３に表示している広告情報の詳細情報の印刷作業を行うに際し、ユーザは画像形成装置２の操作パネル２１を操作して、図中、画面Ｅの「サイネージ印刷ボタン」Ｅ１を押下する。なおこのとき、デジタルサイネージ３に表示している広告情報は、広告動画「Ａ．ｍｐ４」であって、さらに最初の２０秒間に再生される「１０１−１．ｇｉｆ」（図１３）が再生されているタイミングで、同「サイネージ印刷ボタン」Ｅ１が押下されたものとする。つまりこの場合、ユーザはデジタルサイネージ３のディスプレイに流れた「１０１−１．ｇｉｆ」（四半期セール広告に関するもの）に興味を覚え、その詳細情報（例えばチラシやパンフレット）を印刷しようとするものである。
【００６９】
画面Ｆに遷移する。遷移先の画面Ｆにおいては、図に示されるように「今サイネージに表示されている広告を印刷します」と表示される。ユーザは「印刷」Ｆ１、「広告を選択して印刷」Ｆ２という２通りの方法いずれかによって広告（付随広告情報）を印刷する。ここでは、ユーザは「広告を選択して印刷」Ｆ２を押下するものとする。なお画像形成装置２の操作パネル２１の用途を印刷操作のみの操作に限定する場合には、ユーザに対しての初期画面は、画面Ｅは省略し次の画面Ｆからであってもよい。この場合、ユーザは興味のある広告情報が表示されている間に、「印刷」Ｆ１又は「広告を選択して印刷」Ｆ２を押下する必要がある。
【００７０】
画面Ｇに遷移する。遷移先の画面Ｇにおいては、図に示されるように「印刷するものを選択して下さい」と表示される。ユーザは「セールチラシ１」、「クーポン１」のいずれか又は両方を選択（チェック）し、広告（付随広告情報）を印刷する。ここでは、結果的にユーザは両方を選択し、「印刷」Ｇ１押下するものとする。なお、画面中、ユーザに対し印刷されるファイルの表紙を示すサムネイル画像を表示すると、ユーザは必要な情報を選択しやすい。なおまた画面Ｆにおいて「印刷」Ｆ１が押下された場合、選択操作なしに全広告（全付随広告情報）が印刷される。
【００７１】
図１５は、本実施形態に係る印刷例を示す。具体的には、「セールチラシ１」、「クーポン１」が印刷されたものである。ここでは上述の如く、デジタルサイネージ３に表示している広告情報は、広告動画「Ａ．ｍｐ４」であって、さらに最初の２０秒間に再生される「１０１−１．ｇｉｆ」（図１３）が再生されているタイミングで、同「サイネージ印刷ボタン」Ｅ１が押下されたものである。よって図１２の広告テーブルを参照すれば、その広告情報「１０１−１．ｇｉｆ」に対応し、その広告情報の詳細情報（付随広告情報）である「付随広告情報」：セールチラシ１．ｐｄｆ、クーポン１．ｊｐｇが、ユーザに対して印刷された。情報処理装置１の表示制御部１０３は広告動画「Ａ．ｍｐ４」をデジタルサイネージ３に表示させているところ、再生開始からの再生時間を把握しており、よって画像形成装置２の「サイネージ印刷ボタン」Ｅ１が押下されると、情報処理装置１は画像形成装置２から印刷データ取得要求を受信する。このとき、広告テーブルによれば、デジタルサイネージ３に表示されている「広告情報」及び対応する「付随広告情報」の特定が可能である。
【００７２】
ここでは最初の２０秒間以内に画像形成装置２の「サイネージ印刷ボタン」Ｅ１が押下されたので、広告テーブルの「表示時間」に基づき、表示中の「広告情報」は「１０１−１．ｇｉｆ」であると判断しうる（例えば図１１参照）。そして、印刷すべき「付随広告情報」は、「セールチラシ１．ｐｄｆ」、「クーポン１．ｊｐｇ」であると判断できる。よって画像形成装置２からの印刷データ取得要求に対する応答として、この「付随広告情報」を画像形成装置２へ送信する。そして画像形成装置２は、この「付随広告情報」を画面Ｇにおいて表示するとともに、「印刷」Ｇ１押下により印刷する。
【００７３】
再び図１３を参照する。図に示されるように、デジタルサイネージ３のディスプレイ上には広告映像が流れているので、時間経過と共に映像は変化する。ユーザはこの広告映像の中から興味を覚えたものがあった場合、その広告映像がディスプレイ上に表示されている間に、画像形成装置２の「サイネージ印刷ボタン」Ｅ１を押下しさえすれば、その広告の詳細情報を印刷できる。情報処理装置１の広告テーブルにおいては、表示中の広告映像と、表示時間とを管理しており、「サイネージ印刷ボタン」Ｅ１押下のタイミングに応じて、印刷されるべき付随広告情報が対応付けられているからである。
【００７４】
よって例えば、広告動画「Ａ．ｍｐ４」の再生開始から、２１秒のタイミングにおいては、そのときでディスプレイ上に流れている定休日に関する「付随広告情報」：年始定休日．ｐｄｆが印刷される。
【００７５】
また例えば、広告動画「Ａ．ｍｐ４」の再生開始から、５０秒のタイミングにおいては、そのときでディスプレイ上に流れているクリスマスに関する「付随広告情報」：第１弾クリスマスイベント．ｐｄｆが印刷される。また例えば、広告動画「Ａ．ｍｐ４」の再生開始から、６０秒のタイミングにおいては、そのときでディスプレイ上に流れているクリスマスに関する「付随広告情報」：第１弾クーポン．ｊｐｇが印刷される。なお「広告情報」：１０３．ｇｉｆは、クリスマスのイベントに関する情報が流されており、「広告情報」：１０４．ｇｉｆは、クリスマスのセールに関する情報が流されていたと考えられ、よって異なる「付随広告情報」が登録されたものと考えられる。
【００７６】
また例えば、広告動画「Ａ．ｍｐ４」の再生開始から、９０秒のタイミングにおいては、そのときでディスプレイ上に流れているクリスマスのイベント第２弾に関する「付随広告情報」：第２弾クリスマスイベント．ｐｄｆ、第２弾クーポン．ｊｐｇが印刷される。
【００７７】
[情報処理]
これまで、[広告情報の登録例]、[広告情報の画面表示例]、[付随広告情報の印刷例]について説明してきた。続いてこのときに行われる情報処理について詳しく説明する。
【００７８】
（登録処理）
図１６は、本実施形態に係る広告情報等の登録動作を説明するシーケンス図である。ユーザ（このユーザは広告登録者であって例えばショッピングモール側の担当者）は、画像形成装置２の操作パネル２１を操作し、まずデジタルサイネージ３に表示させる広告情報の登録作業を行う。そしてこの登録作業によって登録された広告情報等は、画像形成装置２により情報処理装置１に対し送信され、情報処理装置１の登録部１０１が記憶部１０２に対し受信した広告情報等を記憶する。以下説明する。
【００７９】
Ｓ１：ユーザは画像形成装置２１の操作パネル２１を操作して、広告情報等の登録操作を行う。具体的には上述の如く、ユーザはスキャン又はメディア広告情報を登録するとともに、同広告情報に対して対応付ける属性情報を登録する。つまり「表示時間」、「名称」、「付随広告情報」、「グループ」などの情報を登録する（例えば図６参照）。登録後、再び画面Ｃ０へ遷移し、ユーザは「ＯＫ」ボタンを押下することにより、これら広告情報等の登録操作が完了する。
【００８０】
Ｓ２：画像形成装置２１は、ユーザの「ＯＫ」ボタン押下により、情報処理装置１に対し広告情報等の登録要求を送信する。この登録要求には、ユーザにより登録された広告情報のみならず、「表示時間」、「名称」、「付随広告情報」、「グループ」などの情報が含まれる。
【００８１】
Ｓ３：情報処理装置１（登録部１０１）は、画像形成装置２１から広告情報等の登録要求を受信すると、広告テーブル（例えば図８〜１２参照）にこれら情報を登録する。なおこのとき上述の如く、受信した「広告情報」（静止画データ又は動画データ）から、「変換後広告情報」（動画データ）が生成され併せて登録される。
【００８２】
Ｓ４：情報処理装置１（登録部１０１）は、広告情報等の登録を完了すると、画像形成装置２１に対し登録完了通知を送信する。登録完了通知を受け、画像形成装置２１の操作パネル２１には登録完了の旨が表示される（非図示）。
【００８３】
（表示・印刷処理）
図１７は、本実施形態に係る広告情報の表示及び付随広告情報の印刷動作を説明するシーケンス図である。デジタルサイネージ３において広告表示中、ユーザは、画像形成装置２の操作パネル２１を操作し、所望する広告の詳細情報の印刷を行う。以下説明する。
【００８４】
Ｓ２１：ユーザ（このユーザは広告登録者であって例えばショッピングモール側の担当者）は画像形成装置２１の操作パネル２１を操作して、デジタルサイネージ３に対し広告情報の表示操作（再生操作、配信操作ともいえる）を行う。具体的には例えば、画像形成装置２の操作パネル２１を操作して、表示したい広告情報を選択する。広告情報のリストは、情報処理装置１から取得され、例えばグループ毎にまとめられてる動画データのリストの中から１の動画データを選択する。また複数の動画データを選択することにより、連続的に複数の動画データを再生させることもできる。なおまた、ユーザは直接情報処理装置１側の操作によって広告情報の表示要求を行ってもよい。なおまた予め情報処理装置１上に設定されるスケジュールによって広告情報の表示要求が行われるようにすることも可能である。
【００８５】
Ｓ２２：画像形成装置２１は、ユーザの「表示」操作により、情報処理装置１に対し広告情報の表示要求を送信する。
【００８６】
Ｓ２３：情報処理装置１（表示制御部１０３）は、表示（再生、配信）すべき広告情報を広告テーブルを参照して取得する。
【００８７】
Ｓ２４：情報処理装置１（表示制御部１０３）は、画面用接続ケーブルを介し、デジタルサイネージ３に対し同広告情報の表示制御を行う（表示する）。ここでこの広告情報は、例えば上述の「Ａ．ｍｐ４」などである。
【００８８】
Ｓ２５：デジタルサイネージ３は、同広告情報の表示（再生、配信）を行う（例えば図１３参照）。以降、デジタルサイネージ３には映像が時間経過とともに流れていく。
【００８９】
Ｓ２６：情報処理装置１（表示制御部１０３）は、広告情報の表示制御の開始とともに、再生時間のタイマカウントを開始する。例えば上述の広告情報「Ａ．ｍｐ４」の場合、再生時間は９５秒であるところ、デジタルサイネージ３に表示中の広告情報「Ａ．ｍｐ４」の再生時間をリアルタイムに管理把握するためである。
【００９０】
Ｓ２７：ここで、付随広告情報の印刷操作がなされたことにより、画像形成装置２は、情報処理装置１に対し印刷データ取得要求を送信する。具体的に、ユーザ（例えば来店者）がデジタルサイネージ３のディスプレイに流れた広告映像に興味を覚え、デジタルサイネージ３の同付近に設置された画像形成装置２の操作パネル２１を操作（例えば図１４参照）して、その広告映像に関する詳細情報（例えばチラシやパンフレット）を印刷しようとしたものである。
【００９１】
Ｓ２８：画像形成装置２１は、ユーザの「印刷」操作により、情報処理装置１に対し印刷データ取得要求を送信する。
【００９２】
Ｓ２９：情報処理装置１（印刷データ送信部１０４）は、印刷データ取得要求を受けて、印刷データである付随広告情報を取得する。具体的に広告テーブルを参照し、その印刷データ取得要求を受信したタイミングで、デジタルサイネージのディスプレイに表示中の動画データを把握し、またその動画データが再生開始されたタイマカウントに基づき、動画データの再生開始からの経過時間を把握する。そしてその経過時間時点において、対応する「付随広告情報」を取得する。
【００９３】
Ｓ３０：情報処理装置１（印刷データ送信部１０４）は、画像形成装置２からの印刷データ取得要求に対する応答として、取得したこの「付随広告情報」を画像形成装置２へ送信する。
【００９４】
Ｓ３１：ユーザ（例えば来店者）が画像形成装置２の操作パネル２１を操作して、表示された「付随広告情報」を確認し、印刷操作を行う（例えば図１４参照）。
【００９５】
Ｓ３２：画像形成装置２は、「付随広告情報」を印刷する。なお図１４の画面Ｇに示されるように、「付随広告情報」が選択された場合、選択された「付随広告情報」を印刷する。
【００９６】
なお、ユーザが画像形成装置２の操作パネル２１で印刷操作を行っている間にも、それとは関係なく、デジタルサイネージ３には映像が時間経過とともに流れている（Ｓ２４）。よってユーザが印刷操作を行う際、既にデジタルサイネージ３上の映像は他の広告に変わっている可能性はある。ただこの場合であっても、情報処理装置１（印刷データ送信部１０４）は、先の印刷データ取得要求を受信したタイミングにおいて印刷すべき「付随広告情報」が取得され（Ｓ２９）、画像形成装置２に送信されているので（Ｓ３０）、ユーザに対しては所望する「付随広告情報」が印刷されることはいうまでもない。
【００９７】
図１８は、本実施形態に係る動画データの再生時間と付随広告情報との対応を説明するタイムチャートである。即ち本図は、図１１に基づき、デジタルサイネージ３において、Ａグループの動画データ「Ａ．ｍｐ４」が表示（再生、配信）される場合、画像形成装置２側からの印刷データ取得要求を受信したタイミングで決定される付随広告情報（印刷データ）の対応関係を示すものである。
【００９８】
デジタルサイネージ３で再生される動画データ「Ａ．ｍｐ４」は再生時間が９５秒間であるが、９５秒間表示されるコンテンツの内訳は、図に示されるように、「広告ＩＤ」：１０１〜１０５のコンテンツから構成される。動画データ「Ａ．ｍｐ４」は、「広告ＩＤ」：１０１〜１０５が統合されて生成された動画データであるからである。よって「Ａ．ｍｐ４」の再生が開始されると、時間経過とともに順次「広告ＩＤ」：１０１〜１０５のコンテンツが再生されていく。
【００９９】
動画データ「Ａ．ｍｐ４」の再生中、情報処理装置１（印刷データ送信部１０４）は、その動画データが再生開始されたタイマカウントに基づき、動画データの再生開始からの経過時間を把握しているので、画像形成装置２から印刷データ取得要求を受信すると、そのタイミングで、対応する「付随広告情報」を取得する。
【０１００】
具体的に、この場合の図例によれば、動画データ「Ａ．ｍｐ４」再生開始からの印刷データ取得要求の受信タイミングに応じて取得される「付随広告情報」（印刷データ）は以下の通りである。
０〜２０秒未満：「セールチラシ１．ｐｄｆ」、「クーポン１．ｊｐｇ」
２１〜４０未満：「セールチラシ１．ｐｄｆ」、「クーポン１．ｊｐｇ」
４１〜４５未満：「年始定休日．ｐｄｆ」
４６〜５５未満：「第１弾クリスマスイベント．ｐｄｆ」
５６〜６５未満：「第１弾クーポン．ｊｐｇ」
６６〜９５未満：「第２弾クリスマスイベント．ｐｄｆ」、「第２弾クーポン．ｊｐｇ」
[総括]
以上、本実施形態に係る本実施形態に係るデジタルサイネージ広告印刷システムにおいては、デジタルサイネージのディスプレイに流れた広告映像を見ながら、手軽にその広告映像に関する詳細情報を取得することが可能である。具体的に例えば、デジタルサイネージのディスプレイに流れた広告映像に興味を覚えたユーザが、今流れた広告情報をさらに詳しく知りたいと要望する場合、ユーザはその映像が流れている間に、画像形成装置２の操作パネル２１を操作して印刷操作を行うことにより、ユーザは広告の詳細情報（チラシやパンフレット等）を印刷して持ち帰ることが可能である。またこのような簡易な操作により、デジタルサイネージ上の表示中（再生中）の広告の詳細情報を簡単に印刷することができるので、デジタルサイネージによる広告効果をより一層高めることが可能となる。また広告の詳細情報の配布により、広告行事（例えばイベントやセール）に対する集客効果の向上が期待できる。
【０１０１】
即ち以上の本実施形態によれば、デジタルサイネージの広告映像が流れたタイミングでの簡易操作により同広告映像に関する情報を印刷する情報処理装置等を提供することが可能となる。なお、本発明は係る特定の実施形態に限定されるものではなく、特許請求の範囲に記載された本発明の要旨の範囲内において、種々の変形・変更が可能である。
【０１０２】
例えば、なお印刷端末である画像形成装置２は、より多くの複数のユーザが同時に利用できるよう複数台設置することも可能である。画像形成装置は、情報処理装置１に対し印刷データ取得要求を行うことにより、いずれの画像形成装置も「付属広告情報」を取得し印刷することができる。
【符号の説明】
【０１０３】
１        情報処理装置
２        画像形成装置
３        デジタルサーネージ
１１        ＣＰＵ
１２        ＲＯＭ
１３        ＲＡＭ
１４        補助記憶装置
１５        記憶媒体読取装置
１６        入力装置
２１        操作パネル
２１ａ    入力装置
２１ｂ    表示装置
２２        記憶メディアＩ／Ｆ
２２ａ    ドライブ装置
２２ｂ    記録媒体
２３        コントローラ
２３ａ    ＲＯＭ
２３ｂ    ＲＡＭ
２３ｃ    ＣＰＵ
２４        データ通信Ｉ／Ｆ
２４ａ    インタフェース装置
２５        スキャナ
２５ａ    画像読取装置
２６        プロッタ
２６ａ    印刷装置
２７        ＨＤＤ
１０１    登録部
１０２    記憶部
１０３    表示制御部
１０４    印刷データ送信部
【先行技術文献】
【特許文献】
【０１０４】
【特許文献１】特開２０１１‐１９１４３５号公報
【特許文献２】特開２０１０‐２１８４８９号公報
【図１】
0006044069.tif 000002
【図２】
0006044069.tif 000003
【図３】
0006044069.tif 000004
【図４】
0006044069.tif 000005
【図５】
0006044069.tif 000006
【図６】
0006044069.tif 000007
【図７】
0006044069.tif 000008
【図８】
0006044069.tif 000009
【図９】
0006044069.tif 000010
【図１０】
0006044069.tif 000011
【図１１】
0006044069.tif 000012
【図１２】
0006044069.tif 000013
【図１３】
0006044069.tif 000014
【図１４】
0006044069.tif 000015
【図１５】
0006044069.tif 000016
【図１６】
0006044069.tif 000017
【図１７】
0006044069.tif 000018
【図１８】
0006044069.tif 000019